(57)【特許請求の範囲】
【請求項１】
映像記録手段に記録された情報を再生する再生手段と、
前記再生手段で再生される情報のシーンチェンジ位置を検出するシーンチェンジ検出手段と、
前記シーンチェンジ検出手段で検出されたシーンチェンジ位置を順次記録すると共に、前記再生手段による再生途中での再生停止位置を記録するリジューム記録手段と、
前記リジューム記録手段に記録された再生停止位置が属する最新のシーンチェンジ位置から映像記録手段に記録された情報を前記再生手段で再生するように制御する制御手段を備えたことを特徴とする情報再生装置。
【請求項２】
前記リジューム記録手段は、シーンチェンジ位置から再生停止位置までの映像情報を一時記録し、
前記制御手段は、前記リジューム記録手段に記録された映像情報を再生し、再生停止位置からは前記映像記録手段に記録された映像情報を前記再生手段で再生するよう制御することを特徴とする請求項１記載の情報再生装置。
【請求項３】
前記制御手段は、シーンチェンジ位置までの映像情報を早送り再生し、該シーンチェンジ位置以降の映像情報を通常再生するよう前記再生手段を制御することを特徴とする請求項１記載の情報再生装置。
【請求項４】
前記制御手段は、最新のシーンチェンジ位置から再生停止位置までの映像情報を早送り再生し、該再生停止位置以降の映像情報を通常再生するよう前記再生手段を制御することを特徴とする請求項１記載の情報再生装置。
【請求項５】
映像記録手段に記録された情報を再生する再生ステップと、
前記再生ステップで再生された情報のシーンチェンジ位置を検出するシーンチェンジ検出ステップと、
前記シーンチェンジ検出ステップで検出されたシーンチェンジ位置を順次記録すると共に、前記再生ステップの再生途中での再生停止位置を記録するリジューム記録ステップと、
前記リジューム記録ステップで記録された再生停止位置が属する最新のシーンチェンジ位置から前記映像記録手段に記録された情報を前記再生ステップで再生するように制御する制御ステップとからなることを特徴とする情報再生方法。
【発明の詳細な説明】
【０００１】
【発明の属する技術分野】
本発明は、情報再生装置に関し、特に、再生情報を、再生希望箇所が属するシーンの初めから再生する技術に関する。
【０００２】
【従来の技術】
情報再生装置の機能の一つとして、リジューム機能があり、このリジューム機能を用いることによって、前回再生を停止した箇所からの再生が可能になる。
その例として、特開平１１−２７３３１９号公報には、再生時に、手動で記憶箇所を設定できるようにしたものが記載されている。
【０００３】
その他に、特開平１１−１４２６０５号公報には、シーンチェンジ単位での再生処理についての発明が記載されている。
そして、この場合のシーンチェンジの検出方法については、現在いろいろな技術が知られており、例えば、特開平６−１６３１４６号公報には、画像間において、色及び動きの相関を求め、シーンチェンジの検出を行う方法が開示されている。
【０００４】
【発明が解決しようとする課題】
しかしながら、従来技術では、次のような問題点を有している。
リジューム機能を利用した再生が、前回再生停止箇所からの情報再生、及び記録媒体の初めからの情報再生しかできないので、それ以前の情報とのつながりを把握するのが困難であった。
例えば、記録媒体の途中まで再生した後、ある時間経過後、再び、再生を開始すると、それまでの時間経過により記憶が曖昧になっていることが多く、それまでの情報のとのつながりを思い出すのは困難であった。
【０００５】
また、上記特開平１１−２７３３１９号公報に記載されたものでは、ユーザの手作業による記憶箇所の設定が必要になる。
そして特開平１１−１４２５０５号公報に記載されたものでは、シーン単位での処理を行うが、前回再生停止箇所との関連付けがされていないので、再生箇所の決定は、ユーザの曖昧な記憶に頼ることになる。
本発明は、そのような状況に鑑みてなされたもので、レジューム機能を利用した再生をしても、再生前後の情報のつながりの把握が容易な情報再生装置を提供することを目的とする。
【０００６】
【課題を解決するための手段】
本発明は、映像記録手段に記録された情報を再生する再生手段と、前記再生手段で再生される情報のシーンチェンジ位置を検出するシーンチェンジ検出手段と、前記シーンチェンジ検出手段で検出されたシーンチェンジ位置を順次記録すると共に、前記再生手段による再生途中での再生停止位置を記録するリジューム記録手段と、前記リジューム記録手段に記録された再生停止位置が属する最新のシーンチェンジ位置から映像記録手段に記録された情報を前記再生手段で再生するようにしたものである。
【０００７】
更に、本発明は、前記リジューム記録手段は、シーンチェンジ位置から再生停止位置までの映像情報を一時記録し、  前記制御手段は、前記リジューム記録手段に記録された映像情報を再生し、再生停止位置からは前記映像記録手段に記録された映像情報を前記再生手段で再生するようにしたものである。
【０００９】
更に、本発明は、前記制御手段は、シーンチェンジ位置までの映像情報を早送り再生し、該シーンチェンジ位置以降の映像情報を通常再生するようにしたものである。
【００１０】
更に、本発明は、前記制御手段は、最新のシーンチェンジ位置から再生停止位置までの映像情報を早送り再生し、該再生停止位置以降の映像情報を通常再生するようにしたものである。
【００１１】
【発明の実施の形態】
本発明による情報再生装置の実施形態を、図面に基づいて、以下に説明する。図１は、本発明に係る情報再生装置の一実施例の構成を示すブロック図である。
本発明の情報再生装置は、記録媒体に記録された情報を再生する装置であり、装置全体の処理制御を行うＣＰＵ１、プログラムを格納したＲＯＭ２、システムメモリとして一時記憶しておくＲＡＭ３、キー入力等の入力装置４、ＣＲＴ等の表示装置５、ＤＶＤ等の記録媒体６、ハードデスク（ＨＤＤ）等の記録装置７を備えている。
【００１２】
ＣＰＵ１は、リジューム情報、及び該リジューム情報と相互に関連付けられる情報を、記録装置７、又はＲＡＭ３に記憶しておき、記憶されたリジューム情報に基づき記録媒体６の情報の再生を行うよう制御する。
図２は、記憶媒体の一例として、ＤＶＤディスクの記録データ構造を示す図である。
同図において、ｐＡ、ｐＢ、ｐＣ、ｐＤは、各シーンの先頭箇所、ＳＴは、再生途中でストップされたストップポイントを示し、本例では、ｐＢから始まるシーンの途中でストップされたことになる。
【００１３】
（実施例１）
図３は、本発明の第１実施例に係る情報再生装置の動作処理を示すフローチャートである。
図４は、本実施例における記録媒体に記録された情報とリジューム情報との関係を説明するための図である。
入力装置４より記録媒体（ＤＶＤ等）の再生キーが押されると、ＣＰＵ１は、該当記録媒体６のリジューム情報の有無を記録装置（ＨＤＤ等）７への確認を行う（ステップＳ３０１）。
【００１４】
初めて再生した場合は、リジューム情報が記録されていないため、記録媒体の初めから通常再生が行われる（ステップＳ３０３）。
ＣＰＵ１は、再生時において、例えば、前記特開平１１−１４２５０５号公報に開示されているシーンチェンジの検出手段等によりシーンチェンジが検出されると、現在再生しているシーンの先頭箇所情報を、記録装置７に一時記録しておく。
例えば、図４において、現在、シーン先頭箇所ｐＡからシーン先頭箇所ｐＢにかけて再生中なら、シーン先頭箇所ｐＡが一時記録される。
【００１５】
また、再生中に、シーンの切り替わりが検出されると（ステップＳ３０５）、一時記憶しているシーン先頭箇所情報を削除し、検出した新しいシーン先頭箇所情報を上書記録する（ステップＳ３０６）。
図４において、続けて、シーン先頭箇所ｐＢ以降を再生すると、シーン先頭箇所ｐＡを削除し、シーン先頭箇所ｐＢが一時記録される。
【００１６】
再生停止キーが押されたか否かを判断し（ステップＳ３０７）、押されていない場合は、ステップＳ３０５に戻り、シーン先頭箇所の上書記録動作を繰り返し、押された場合は、次のステップＳ３０８に進む。
ステップＳ３０８では、ＣＰＵ１は、記録装置７に、再生停止箇所ＳＴをリジューム情報として、シーン先頭箇所をリジューム情報と関連付けた情報として、記録する。
【００１７】
例えば、図４においては、ストップポイントＳＴにおいて、再生停止命令が発生すると、ストップポイントＳＴをリジューム情報として、そのときのシーン先頭箇所ｐＢをリジューム情報と関連付けた情報として、ＣＰＵ１は、記録装置７に記録する。
次に、再生キーが押された場合には、まず、該当記録媒体６のリジューム情報の有無を記録装置７へ確認に行く（ステップＳ３０１）。
【００１８】
本例では、リジューム情報として、再生停止箇所ＳＴとシーン先頭箇所ｐＢが存在するため、そのリジューム情報を利用するか否かの選択画面を表示装置５に表示する（ステップＳ３０２）。
画面上、利用しない旨のＮＯキーを入力すればリジューム情報を利用せず、通常再生を行う（ステップＳ３０３）。
【００１９】
また、ＹＥＳキーを入力すれば、そのリジューム機能を使用し、ＣＰＵ１は、記録装置７に記録しておいた前回再生停止箇所ＳＴが属するシーン先頭箇所ｐＢからの情報再生を行う（ステップＳ３０４）。
本例のように、前回ポイントＳＴで再生がストップされていた場合は、そのシーンの先頭箇所ｐＢからの情報再生を行う。
その後は、リジューム情報を更新していき、再生の停止でリジューム情報を記憶しておくのは当初の処理動作と同様である。
【００２０】
（実施例２）
図５は、本発明の第２実施例に係る情報再生装置の動作処理を示すフローチャートである。
図６は、本実施例における記録媒体に記録された情報とリジューム情報との関係を説明するための図である。
本フローチャートにおいて、図３に示す実施例１のフローと同様、リジューム情報が無い場合、記録媒体の初めから通常再生が行われる（ステップＳ５０１〜Ｓ５０３）。
【００２１】
ＣＰＵ１は、再生時において、シーンチェンジの検出手段等により、シーンの切り替わりが検出されると、シーンの先頭箇所から現在再生している箇所の再生情報のすべてを記録装置７に一時記録する。
そして、再生中に、シーンの切り替わりが検出された場合（ステップＳ５０５）、それまで一時記憶されている再生情報を削除し（ステップＳ５０６）、検出されたシーン先頭箇所からの再生情報を一時記録し始める（ステップＳ５０７）。
【００２２】
再生停止キーが押されたか否かを判断し（ステップＳ５０８）、押されていない場合は、ステップＳ５０５に戻り、再生情報の記録動作を繰り返し、押された場合は、次のステップＳ５０９に進む。
ステップＳ５０９においては、ＣＰＵ１は、再生停止箇所ＳＴをリジューム情報として、記録しておいたシーン先頭箇所から再生停止箇所までの記録情報をリジューム情報と関連付けた情報として、記録装置７に記録し、終了する。
【００２３】
次に、再生キーが押されると、リジューム情報が記録されているため、リジューム情報を利用するかどうかの選択画面を表示装置５に表示する（ステップＳ５０２）。
画面上、利用しない旨のＮＯキーを入力すれば、リジューム情報を利用せず、通常再生を行う（ステップＳ５０３）。
【００２４】
また、ＹＥＳキーを入力すれば、そのリジューム機能を使用し、ＣＰＵ１は、記録装置７に記録されたリジューム情報と関連付けた情報として記録されたシーン先頭箇所から再生停止箇所までの再生情報の再生が行われる（ステップＳ５０４）。
例えば、図６に示すように、記録装置７に記録しておいた再生停止箇所ＳＴが属するシーン先頭箇所ｐＢから再生停止箇所ＳＴまでの再生情報の再生を行い、再生停止箇所ＳＴからは記録媒体６から情報再生を行う。
【００２５】
（実施例３）
図７は、本発明の第３実施例に係る情報再生装置の動作処理を示すフローチャートである。
図８は、本実施例における記録媒体に記録された情報とリジューム情報との関係を説明するための図である。
本実施例においても、図３、図５に示す実施例１、２のフローと同様、リジューム情報が無い場合、記録媒体の初めから通常再生が行われる（ステップＳ７０１〜Ｓ７０３）。
【００２６】
ＣＰＵ１は、再生時において、シーンの切り替わりが検出されると、シーン先頭箇所から現在の再生箇所までの時間情報を記録装置７に一時記録する。
そして、再生中に、シーンの切り替わりが検出された場合（ステップＳ７０５）、検出されたシーン先頭箇所からの現在の再生箇所までの時間情報を更新していく（ステップＳ７０６）。
【００２７】
再生停止キーが押されたか否かを判断し（ステップＳ７０７）、押されていない場合は、ステップＳ７０５に戻り、時間情報の記録動作を繰り返し、押された場合は、次のステップＳ７０８に進む。
ステップＳ７０８においては、ＣＰＵ１は、再生停止箇所ＳＴをリジューム情報として、記録しておいたシーン先頭箇所から再生停止箇所までの時間情報をリジューム情報と関連付けた情報として、記録装置７に記録し、終了する。
【００２８】
次に、再生キーが押され再生されると、リジューム情報が記録されているため、リジューム情報を利用するかどうかの選択画面を表示装置５に表示する（ステップＳ７０２）。
画面上、利用しない旨のＮＯキーを入力すればリジューム情報を利用せず、通常再生を行う（ステップＳ７０３）。
【００２９】
また、ＹＥＳキーを入力すれば、そのリジューム機能を使用し、図８に示すように、ＣＰＵ１は、再生停止箇所ＳＴから、リジューム情報と関連付けた情報として記録された時間情報分だけ遡り、再生が行われる（ステップＳ５０４）。
例えば、図８に示すようにリジューム情報として記録しておいた再生停止箇所ＳＴから、リジューム情報と関連付けた情報として記録された時間情報分だけ遡り、記録媒体６から情報再生を行う。
【００３０】
（実施例４）
図９は、本発明の第４実施例に係る情報再生装置の動作処理を示すフローチャートである。
図１０は、本実施例における記録媒体に記録された情報とリジューム情報との関係を説明するための図である。
本実施例においても、これまでの実施例のフローと同様、リジューム情報が無い場合、記録媒体の初めから通常再生が行われる（ステップＳ１００１〜Ｓ１００３）。
【００３１】
そして、ＣＰＵ１は、シーンの切り替わりが検出される毎に、新しいシーン先頭箇所を記録媒体６に追加記録していく（ステップＳ９０４〜Ｓ１００５）。
ここで、再生停止命令が発生すると（ステップＳ９０６）、ＣＰＵ１は、再生停止箇所ＳＴをリジューム情報として、また追加記録されたすべてのシーン切り替わり情報をリジューム情報と関連付けて記録装置７に記録する（ステップＳ９０７）。
【００３２】
次に、再生キーが押され再生されると、まず記録媒体６のリジューム情報の有無を記録装置７へ確認に行く（ステップＳ９０１）。
例えば、図１０に示す例では、リジューム情報として再生停止箇所ＳＴ、及びリジューム情報と関連付けてシーン先頭箇所ｐＡ、ｐＢが記録されているため、リジューム情報を利用するかどうかの選択画面を表示装置５に表示する（ステップＳ９０２）。
【００３３】
ＮＯキーを入力すれば、リジューム情報を利用せず、通常再生を行う（ステップＳ９０３）。
ＹＥＳキーを入力すれば、どのシーンから再生するかの選択画面を表示し、キー入力で再生を開始するシーンの先頭を選択すると、選択されたｐＡやｐＢ等、リジューム情報と関連付けて記憶された任意のシーン先頭箇所からの情報再生を行う（ステップＳ９０４）。
【００３４】
（実施例５）
図１１は、本発明の第５実施例に係る情報再生装置の動作処理を示すフローチャートである。
図１２は、本実施例における記録媒体に記録された情報とリジューム情報との関係を説明するための図である。
キー入力装置より再生キーが押されると、ＣＰＵ１は、該当記録媒体６のリジューム情報の有無を記録装置７への確認を行う（ステップＳ１１０１）。
【００３５】
初めて再生した場合は、リジューム情報が記録されていないため、記録媒体６の初めから通常再生を行う（ステップＳ１１０４）。
次いで、再生停止キーが押されたか否かを判断し（ステップＳ１１０５）、押されていない場合は、再生を継続し、押されている場合は、再生停止箇所ＳＴをリジューム情報として、ＣＰＵ１は、記録装置７に記録し（ステップＳ１１０６）、終了する。
【００３６】
次に、再生キーが押され、記録情報が再生されと、まず、該当記録媒体のリジューム情報の有無を記録装置７へ確認に行く（ステップＳ１１０５）。
リジューム情報として、前回再生停止箇所ＳＴが記録されているため、リジューム情報を利用するかどうかの選択画面を表示装置５に表示する（ステップＳ１１０２）。
ＮＯキーを入力すれば、リジューム情報を利用せず、通常再生を行う（ステップＳ１１０４）。
【００３７】
ＹＥＳキーを入力すれば、そのリジューム機能を使用し情報再生を行う（ステップＳ１１０３）。
リジューム機能を使用すると、ＣＰＵ１は、記録媒体６の初めから再生停止箇所ＳＴまで早送り再生し（ステップＳ１１０３）、後は、通常再生に切り替わる（ステップＳ１１０４）。
例えば、図１２に示すように、リジューム情報としては、再生停止箇所ＳＴが記録されているので、記録媒体の初めから再生停止箇所ＳＴまで早送り再生し、再生停止箇所ＳＴからは通常再生を行う。
【００３８】
（実施例６）
図１３は、本発明の第６実施例に係る情報再生装置の動作処理を示すフローチャートである。
図１４は、本実施例における記録媒体に記録された情報とリジューム情報との関係を説明するための図である。
キー入力装置より再生キーが押されると、ＣＰＵ１は、記録媒体６のリジューム情報の有無を記録装置７に確認する（ステップＳ１３０１）。
【００３９】
初回の再生時には、リジューム情報が無いため、記録媒体の初めから通常再生を行う（ステップＳ１３０４）。
ＣＰＵ１は、従来と同様のシーンチェンジの検出方法により、シーンの切り替わりを検出し（ステップＳ１３０５）、シーンが切り替わる毎に、新しいシーン先頭箇所を記録装置７に上書記録していく（ステップＳ１３０６）。
再生停止キーが押されたか否かを判断し、押されていない場合は、ステップＳ１３０５に戻り、シーン先頭箇所の記憶動作を繰り返し、押されている場合は、次のステップＳ１３０７に進む。
【００４０】
ステップＳ１３０７では、再生停止命令が発生すると、再生停止箇所をリジューム情報として、また記録しておいたシーン切り替わり情報をリジューム情報と関連した情報として記録装置７に記録する。
次に、再生キーが押された場合を、図１４を参照して説明すると、まず、該当記録媒体６のリジューム情報の有無を記録装置７へ確認に行く（ステップＳ１３０１）。
【００４１】
リジューム情報として、前回再生停止箇所ＳＴ、及びリジューム情報と関連した情報としてシーン先頭箇所ｐＢが記録されているため、リジューム情報を利用するかどうかの選択画面を表示装置５に表示する（ステップＳ１３０２）。
ＮＯキーを入力すれば、リジューム情報を利用せず、通常再生を行う（ステップＳ１３０４）。
ＹＥＳキーを入力すれば、記録媒体の初めからシーン先頭箇所ｐＢまで、早送り再生し、シーン先頭箇所ｐＢから通常再生に切り替わる（ステップＳ１３０３）。
【００４２】
（実施例７）
図１５は、本発明の第７実施例に係る情報再生装置の動作処理を示すフローチャートである。
図１６は、本実施例における記録媒体に記録された情報とリジューム情報との関係を説明するための図である。
本フローチャート図は、図１４に示すフローチャート図と、ほぼ同じであるが、ステップＳ１５０３において、リジューム情報が記録された記憶媒体を再生する場合であって、リジューム情報を利用するときの処理動作が異なる。
【００４３】
前実施例のフローでは、記録媒体の初めからシーン先頭箇所まで早送り再生したが、本実施例のフローは、再生停止箇所が属するシーン先頭箇所から再生停止箇所まで早送り再生を行い、再生停止箇所からは通常再生に切り替わるようになっている。
図１６に示す例では、図１４と同じリジューム情報として、再生停止箇所ＳＴ、及びリジューム情報と関連した情報としてシーン先頭箇所ｐＢが記憶されているが、シーン先頭箇所ｐＢから再生停止箇所ＳＴまで早送り再生され、再生停止箇所ＳＴから先は、通常再生が行われる。
【００４４】
（実施例８）
図１７は、本発明の第８実施例に係る情報再生装置の動作処理を示すフローチャートである。
図１８は、本実施例における記録媒体に記録された情報とリジューム情報との関係を説明するための図である。
キー入力装置より再生キーが押されると、ＣＰＵ１は、記録媒体６のリジューム情報の有無を記録装置７への確認を行う（ステップＳ１７０１）。
初めて再生した場合は、リジューム情報が無いため、記録媒体６の初めから通常再生を行う（ステップＳ１７０４）。
【００４５】
再生停止キーが押されたか否かを判断し（ステップＳ１７０５）、押されていなければ、再生を継続し、押されたならば、再生停止箇所ＳＴをリジューム情報として、ＣＰＵ１は、記録装置７に記録し、再生を停止する。
次に、再生キーが押された場合には、まず、該当記録媒体６のリジューム情報の有無を記録装置７へ確認に行く（ステップＳ１７０１）。
リジューム情報として、再生停止箇所ＳＴが記録されているため、リジューム情報を利用するかどうかの選択画面を表示装置５に表示する（ステップＳ１７０２）。
【００４６】
ＮＯキーを入力すれば、リジューム情報を利用せず、先頭画面より通常再生を行う（ステップＳ１７０４）。
ＹＥＳキーを入力すれば、そのリジューム機能を使用し情報再生を行う（ステップＳ１７０３）。
リジューム機能を使用すると、ＣＰＵ１は、再生停止箇所ＳＴから一定時間分前から情報再生を行う（ステップＳ１７０３）。
図１８に示すように、前回再生停止箇所ＳＴから一定時間遡り、情報再生を行う。
【００４７】
【発明の効果】
本発明によれば、再生時にシーンチェンジを検出してその位置を記録しておくようにしたので、再生していない箇所に対する処理の無駄が生じるようなことがなく、リジューム情報に、再生停止箇所が属するシーンの先頭箇所を記録しておくことにより、前回の再生と今回の再生に時間的間隔が空いている等、前回の再生情報の記憶が曖昧な場合、再生停止箇所が属するシーン先頭箇所からの再生を行うことより、前回の再生情報の把握ができる。
【００４８】
更に、本発明によれば、再生停止箇所が属するシーン先頭箇所から再生停止箇所までの再生情報を記録しておくことにより、記録媒体にアクセスせずに、簡単に再生停止箇所までの再生情報の復活ができ、容易に前回の再生情報の把握ができる。
【００５０】
更に、本発明によれば、記録媒体の初めからシーン先頭箇所まで早送り再生することで、それまでの再生した全体の情報の把握が容易にできるとともに、シーン先頭箇所から通常再生を行うことにより前回再生情報がより正確に把握できる。
更に、本発明によれば、再生停止箇所が属するシーン先頭箇所から再生停止箇所まで早送り再生することで、より短時間に前回再生情報の把握が容易になる。
【図面の簡単な説明】
【図１】本発明に係る情報再生装置の一実施例の構成を示すブロック図である。
【図２】記憶媒体の一例として、ＤＶＤディスクの記録データ構造を示す図である。
【図３】本発明の第１実施例に係る情報再生装置の動作処理を示すフローチャートである。
【図４】図３に示す実施例における記録媒体に記録された情報とリジューム情報との関係を説明するための図である。
【図５】本発明の第２実施例に係る情報再生装置の動作処理を示すフローチャートである。
【図６】図５に示す実施例における記録媒体に記録された情報とリジューム情報との関係を説明するための図である。
【図７】本発明の第３実施例に係る情報再生装置の動作処理を示すフローチャートである。
【図８】図７に示す実施例における記録媒体に記録された情報とリジューム情報との関係を説明するための図である。
【図９】本発明の第４実施例に係る情報再生装置の動作処理を示すフローチャートである。
【図１０】図９に示す実施例における記録媒体に記録された情報とリジューム情報との関係を説明するための図である。
【図１１】本発明の第５実施例に係る情報再生装置の動作処理を示すフローチャートである。
【図１２】図１１に示す実施例における記録媒体に記録された情報とリジューム情報との関係を説明するための図である。
【図１３】本発明の第６実施例に係る情報再生装置の動作処理を示すフローチャートである。
【図１４】図１３に示す実施例における記録媒体に記録された情報とリジューム情報との関係を説明するための図である。
【図１５】本発明の第７実施例に係る情報再生装置の動作処理を示すフローチャートである。
【図１６】図１５に示す実施例における記録媒体に記録された情報とリジューム情報との関係を説明するための図である。
【図１７】本発明の第８実施例に係る情報再生装置の動作処理を示すフローチャートである。
【図１８】図１７に示す実施例における記録媒体に記録された情報とリジューム情報との関係を説明するための図である。
【符号の説明】
１…ＣＰＵ、２…ＲＯＭ、３…ＲＡＭ、４…入力装置、５…表示装置、６…記録媒体、７…記録装置。
【図１】
0004371597.tif 000002
【図２】
0004371597.tif 000003
【図３】
0004371597.tif 000004
【図４】
0004371597.tif 000005
【図５】
0004371597.tif 000006
【図６】
0004371597.tif 000007
【図７】
0004371597.tif 000008
【図８】
0004371597.tif 000009
【図９】
0004371597.tif 000010
【図１０】
0004371597.tif 000011
【図１１】
0004371597.tif 000012
【図１２】
0004371597.tif 000013
【図１３】
0004371597.tif 000014
【図１４】
0004371597.tif 000015
【図１５】
0004371597.tif 000016
【図１６】
0004371597.tif 000017
【図１７】
0004371597.tif 000018
【図１８】
0004371597.tif 000019